(57)【要約】【課題】デジタルテレビで、ＩＥＥＥ１３９４インタフェースを通して連結接続された外部機器の多様な動作及び機能選択のためのメニュー画面を表示して、表示されたメニューから外部機器に要求する遠隔制御方法を提供する。【解決手段】ユーザーの共通接続バスを通して連結されている外部機器に対するメニュー要求時に、外部機器に記憶している機能または動作を選択する基本項目と、外部機器が提供する詳細メニュー画面を要求する項目とで構成されるメニュー画面を表示して、表示されたメニューから基本項目を選択すると、それに対応するコマンドを構成し、外部機器に伝送して機能または動作を実行させ、一方メニュー画面で詳細メニュー画面要求項目が選択されると、外部機器に該当するメニュー画面を要求した後、これを受信して画面表示する。【選択図】　　　　図１
2004007639.tif 000002
【特許請求の範囲】
【請求項１】
デジタルオーディオ信号を受信して増幅出力するオーディオ機器において、
少なくともオーディオ信号が記録された記録媒体の前記オーディオ信号の再生を行う外部機器との連結接続を行う第１の段階と、
前記連結接続されると、前記外部機器は、前記オーディオ信号が記録された記録媒体から読み出されて提供されるメニュー項目をデータストリームとして伝送する第２の段階と、
前記データストリームとして伝送されたメニュー項目を文字画面として表示して、表示されたこのメニュー項目中の任意の項目を選択した選択情報を前記外部機器に伝送して、前記外部機器に対し前記伝送された選択情報にしたがったオーディオ信号を前記記録媒体から再生させる第３の段階と、
前記記録媒体から再生され前記外部機器により伝送されるオーディオ信号を受信し、受信したこのオーディオ信号を増幅出力する第４の段階と
を有することを特徴とする外部連結機器のメニュー遠隔制御方法。
【請求項２】
前記第２及び第３の段階におけるデータストリームは、テキストデータであることを特徴とする請求項１記載の外部連結機器のメニュー遠隔制御方法。
【請求項３】
前記第３の段階において文字画面で表示されるメニュー項目は、前記外部機器であるオーディオ機器に備えられている小型液晶素子に表示されることを特徴とする請求項１記載の外部連結機器のメニュー遠隔制御方法。
【請求項４】
前記第３の段階における選択情報は、文字画面上に表示されるメニュー項目の座標位置であることを特徴とする請求項１記載の外部連結機器のメニュー遠隔制御方法。
【発明の詳細な説明】
【０００１】
【発明の属する技術分野】
本発明は、ＩＥＥＥ１３９４のようなデジタルインタフェースを通して連結接続されたＤＶＤ再生器のような外部連結機器に対する動作及び機能に対するメニューをデジタルテレビのようなデジタル画像機器のメニュー画面を通して表示して、表示されたメニュー画面を通して選択指定される動作及び機能を遠隔制御する方法に関するものである。
【０００２】
【従来の技術】
従来のアナログ方式を用いるＡ／Ｖ機器では、一つのＡ／Ｖ機器と連結接続された他Ａ／Ｖ機器間の相互動作制御のための制御方法及び手段が用意されていないので、各々のＡ／Ｖ機器を動作制御するためには、ユーザーが別途の動作制御キーを用いてＡ／Ｖ機器に各々入力させなければならないという煩わしさがあった。
【０００３】
しかし、現在のデジタル方式を用いるＡ／Ｖ機器、例えばコンパクトディスク（ＣＤ）またはミニディスク（ＭＤ）を再生するディスク再生器に対しては、ＩＥＥＥ１３９４のようなデジタルインタフェースを通して、他のＡ／Ｖ機器と連結接続して、事前に規格として定義されているコマンドセットを利用して、前記Ａ／Ｖ機器間のデジタルデータ伝送及び動作制御を行うようにする案が検討されている。
【０００４】
一方、今後広く普及すると予想される大容量のデジタル多機能ディスクであるＤＶＤは、現在、記録方式に対する具体的な規格化作業が進行中にある。そして、このようなＤＶＤを再生するＤＶＤ再生器は、高画質の画像を表示することができるデジタルテレビ（Ｄ−ＴＶ）とＩＥＥＥ１３９４インタフェースを通して連結使用されることと予想される。このように連結使用される場合には、ＤＶＤ及びＤＶＤ再生器で提供できる多様な動作及び機能に対する選択を、ＩＥＥＥ１３９４インタフェースを通して連結接続されたデジタルテレビのメニューを通して、遠隔で選択要求できるようにする方法を検討することができる。
【０００５】
しかし、前記のようにＩＥＥＥ１３９４インタフェースを通して連結接続されたＤＶＤ再生器のような外部連結機器における多様な動作及び機能選択のためのメニュー画面表示方法と、メニュー画面を通してユーザーが選択指定した動作及び機能を制御する遠隔制御方法が、デジタルテレビのような高機能の画像機器に対してまだ用意されていないために、これに対する方案が急を要しているというのが実情である。
【０００６】
【発明が解決しようとする課題】
本発明は前記のような問題点を解決するためになされたものであり、デジタルテレビのような高機能のデジタル画像機器で、ＩＥＥＥ１３９４インタフェースを通して連結接続された外部機器の多様な動作及び機能選択のためのメニュー画面を表示して、その表示されたメニュー画面を通して選択指定される動作及び機能が遂行されるように外部機器に要求する遠隔制御方法を提供することが目的である。
【０００７】
【課題を解決するための手段】
前記のような目的を達成するための本発明による外部連結機器のメニュー遠隔制御方法は、外部連結機器の機能または動作を選択するための項目と、前記外部連結機器が提供するメニュー画面を要求する項目とで構成されるメニュー画面を画面表示する１段階と、前記表示されたメニュー画面を通して、前記メニュー画面要求項目が選択されると、前記外部連結機器に該当するメニュー画面を要求した後、これを受信して画面表示する２段階を含むことを特徴とする。
【０００８】
【発明の実施の形態】
以下、本発明による外部連結機器のメニュー遠隔制御方法に対する望ましい実施形態に対して、添付された図面を参照しながら詳細に説明する。
【０００９】
図１は、本発明による外部連結機器のメニュー遠隔制御方法が適用されるデジタルテレビの一部の構成を示したものである。デジタルテレビ１００は、外部機器の一つであるＤＶＤ再生器２００とＩＥＥＥ１３９４インタフェースとを通して連結接続されるインタフェース部１、インタフェース部を通して伝送受信されるデータストリームをオーディオデータ及びビデオデータに分離してデコーディングして出力する信号処理部２、信号処理部からデコーディングして出力されるオーディオデータをアナログ音声信号に信号処理するオーディオ信号処理部５、オーディオ信号処理部から出力されるアナログ信号を音で出力するスピーカ６、信号処理部からデコーディングして出力されるビデオデータを画面画像信号に変換する画像信号処理部３、画像信号処理部から出力される画面画像信号を表示する表示部４、構成手段の動作を制御する制御部７、及び制御部の動作制御に必要なデータ及び一時的データを記憶するメモリ部８を含んいる。メモリ部８にはインタフェース部１を通して連結接続された外部機器であるＤＶＤ再生器２００の機能及び動作に対するメニュー画面データが記憶されている。
【００１０】
したがって、制御部７では、外部機器であるＤＶＤ再生器２００の機能及び動作に対するメニュー画面表示を要求するキーからの入力が受信されると、メモリ部８に記憶されているＤＶＤ再生器２００のメニュー画面データを、画像信号処理部３に出力して、それに該当するメニュー画面が表示されるようにする。以下ではこのような過程を通してＤＶＤ再生器２００に装填されたＤＶＤの再生動作を遠隔制御する過程について詳細に説明する。
【００１１】
図２ＡはＤＶＤ再生器２００の機能及び動作に対するメニュー画面を示したものである。図２Ｂはメニュー画面を通して再生項目が選択される場合、ＤＶＤ再生器２００に装填されたＤＶＤから読に出されて送られてきた再生画像画面を示したものである。図３はデジタルテレビ１００上のメニュー画面を通してＤＶＤ再生器２００に装填されたディスクがテレビに再生される過程のフローチャートを示したものである。
【００１２】
デジタルテレビ１００の制御部７では、ＤＶＤ再生器２００の機能及び動作に対するメニュー画面を要求するキー操作が行われると、ＤＶＤ再生器の動作メニュー表示モードを設定し（Ｓ１０）、メモリ部８に記憶されたＤＶＤ再生器２００の動作メニューデータを読み出して、画像信号処理部３に出力するように制御する（Ｓ１１）。
【００１３】
これにより、画像信号処理部３では、動作メニューデータを画像信号処理して、ＤＶＤ再生器２００の機能及び動作に対する、図２Ａのメニュー画面を表示部４に表示する。メニュー画面にはＤＶＤ再生器２００の基本機能及び動作、例えば、再生（Ｐｌａｙ）、停止（Ｓｔｏｐ）、一時中止（Ｐａｕｓｅ）、高速正走行（ＦＦ）、高速逆走行（ＦＢ）、スキップ正走行（ＳＦ）及びスキップ逆走行（ＳＢ）を選択指定するための基本メニュー項目と、ＤＶＤ再生器２００が提供する詳細メニュー画面を要求するための項目で構成される。そして、ＤＶＤ再生器２００とデジタルテレビ１００間には、少なくとも基本メニュー項目に対する各々のコマンドセットと、メニュー画面に表示されるカーソルの位置座標を伝送するコマンドセット及びその各々のフォーマットが事前に定義されている。
【００１４】
制御部７は、ユーザーが特定メニュー項目を容易に選択指定できるようにするために、ユーザーのリモコン等により位置移動が可能なカーソルを画面に重畳表示する（Ｓ１２）。必要に応じて、カーソルが位置した特定メニュー項目に対して、それを容易に識別できるようにハイライトさせて画像信号処理部３にメニュー画面データを一部または全体を再構成して提供する（Ｓ１３）。このために制御部７は、メモリ部８にメニューデータと一緒に記憶されているメニューの各項目の表示領域に対する座標情報を利用する。
【００１５】
制御部７は、カーソルがユーザーの操作により他の位置に移動すると、その座標を追跡して他のメニュー項目に移動すると（Ｓ１４）、その新しいメニュー項目をハイライトさせる。カーソルの位置が特定メニュー項目に位置された状態でメニュー項目を選択する選択キーが入力されると（Ｓ１５）、制御部７はカーソルの現在位置座標を検出して（Ｓ１６）、ユーザーが選択した特定メニュー項目を確認する。例えば確認結果、選択されたメニュー項目がＤＶＤ再生器２００に装填されたＤＶＤの再生を要求する再生（Ｐｌａｙ）項目の場合には、これに対応するコマンドすなわち、再生コマンドをインタフェース部１を通して、ＤＶＤ再生器２００に伝送する（Ｓ１８）。
【００１６】
これにより、ＤＶＤ再生器２００では、ＤＶＤに記録された信号を読み出してデータストリームを伝送するので、デジタルテレビ１００ではＤＶＤ再生器１００から伝送されるデータストリームをインタフェース部１を通して受信し（Ｓ１９）、受信されたデータストリームを信号処理部２、画像信号処理部３、及びオーディオ信号処理部５によりデコードし及び信号処理して、図２Ｂに示したような画像画面とこれに対応する音声を出力する（Ｓ２０）。
【００１７】
再生コマンドは、遠隔メニューのためにＤＶＤ再生器２００とデジタルテレビ１００間に事前に定義されるている。図４にその再生コマンドのフォーマットの一例を示してある。再生コマンドには、多数のプログラムが記録されているディスクの再生動作の要求であることを知らせる命令コードである０ｘＣ３が書込まれ、さらに、再生方式を指定するオペランドｏｐｅｒａｎｄ［１］−［４］と、ディスクで提供される多様なタイトルに対する指定再生動作、例えばタイトル再生（Ｔｉｔｌｅ＿Ｐｌａｙ）、部分再生（Ｃｈａｐｔｅｒ＿Ｐｌａｙ）または時間再生（Ｔｉｍｅ＿Ｐｌａｙ）を指定するオペランドｏｐｅｒａｎｄ［５］、［６］が含まれている。
【００１８】
以下、本発明による外部連結機器のメニュー遠隔制御方法に対する他の実施形態を添付された図面を参照しながら詳細に説明する。
図５Ａは、ＤＶＤ再生器２００の機能及び動作に対するメニュー画面を示し、図５ＢはＤＶＤに記録された特定タイトルに対するチャプター（Ｃｈａｐｔｅｒ）メニューを要求するメニュー項目が選択された場合、ＤＶＤ再生器２００に装填されたＤＶＤから読み出され、画面表示されるチャプターメニューに対する画像画面を示し、図５Ｃはチャプターメニュー画面を通して特定のチャプターが選択されると、ＤＶＤから読み出して伝送された特定のチャプターに該当するデータストリームを信号処理した画面の画像の例を示したものである。図６はデジタルテレビ１００のメニュー画面を通してＤＶＤ再生器２００に装填されたディスクの特定のチャプターが選択されて再生される過程のフローチャートを示したものである。
【００１９】
デジタルテレビ１００の制御部７では、ＤＶＤ再生器２００の機能及び動作に対するメニュー画面表示を要求するキー操作が行われると、ＤＶＤ再生器の動作メニュー表示モードを設定し、メモリ部８に記憶されたＤＶＤ再生器２００の動作メニューデータを読み出して、画像信号処理部３に出力するように制御する。
【００２０】
これにより、画像信号処理部３では、動作メニューデータを画像信号処理して、ＤＶＤ再生器２００の機能及び動作に対する図５Ａのメニュー画面を表示部４を通して画面表示させる。この時、制御部７は、ユーザーが特定メニュー項目を容易に選択指定できるように、ユーザーのリモコン等によりカーソルを画面に重畳表示し（Ｓ３０）、必要に応じて、カーソルが位置した特定メニュー項目に対してそれを容易に識別できるようにハイライトさせるように、画像信号処理部３にメニュー画面データを再構成して提供する（Ｓ３１）。
【００２１】
そして、制御部７は、カーソルがユーザーの操作により他の位置に移動して他のメニュー項目に移動すると、そのメニュー項目をハイライトさせる。カーソルの位置が特定メニュー項目に位置された状態でメニュー項目を選択する選択キーを入力すると（Ｓ３２）、制御部７はカーソルの現在位置の座標を検出して、ユーザーが選択した特定メニュー項目を確認する。例えば確認結果、選択された項目がＤＶＤに記録されたタイトルに対する構成情報を要求するメニュー（ＭＥＮＵ）項目の場合（Ｓ３３）には、例えば、チャプターメニュー要求コマンドをインタフェース部１を通して、ＤＶＤ再生器２００に伝送する（Ｓ３４）。
【００２２】
これにより、ＤＶＤ再生器２００では、ＤＶＤに記録されたタイトルを構成する情報を読み出して、多数のチャプターに対するメニューを通常のイメージデータに構成して伝送し、デジタルテレビ１００ではイメージデータとして伝送されたメニューデータを受信して、図５Ｂに示したチャプターメニューを表示する（Ｓ３５）。
【００２３】
以後、ユーザーはチャプターメニュー画面上に表示されるカーソルを移動して自身が所望する特定チャプターを選択して指定する。制御部７はメニュー項目を選択する選択キーが入力された場合（Ｓ３６）、カーソルの現在の位置座標を検出する。しかし、この時はメニュー画面のイメージデータをＤＶＤ再生器２００で受信したので、デジタルテレビ１００ではそのメニュー画面のメニュー項目に対する座標情報を持っていない。したがって、ユーザーが選択した座標上のチャプター項目を認識できない。そのため、制御部７は、検出されたカーソルの位置座標を、座標値伝達コマンドの形態に構成してＤＶＤ再生器２００に直接伝送する（Ｓ３７）。
【００２４】
一方、ＤＶＤ再生器２００は、チャプターメニューに該当する画面を多数の項目領域に分割して、各々の領域別位置座標に該当するメニュー項目に対する情報を装填されたディスクから獲得して持っているので、デジタルテレビ１００から伝送される位置座標を各項目領域と比較することによって、ユーザーが選択した特定メニュー項目を確認判別することができる。確認の結果、ユーザーが選択したチャプターが、チャプター＃１に該当する場合には、ＤＶＤ再生器２００は装填されたＤＶＤに記録された特定タイトルの最初のチャプターのスタート記録位置を探索した後、再生動作を実行する。
【００２５】
したがって、デジタルテレビ１００では、再生動作させるためデータストリームをインタフェース部１を通して受信し（Ｓ３８）、その受信されたデータストリームを、信号処理部２を通してビデオ及びオーディオデータに分離してデコードすることによって画像及び音声を出力する（Ｓ３９）。このような過程により図５Ｃに示した画面が連続的に出力される。
【００２６】
構成情報要求コマンドは、図７に示したように、ＤＶＤで提供される多様な内容別メニューを選択して要求するためのものであり、ディスクの構成情報要求であることを知らせるための命令コードである０ｘ６１が書込まれており、さらに、あるメニューを要求するのかを指定するオペランドｏｐｅｒａｎｄ［０］が含まれる。例えば、前記のようにユーザーが特定タイトルに対するチャプターメニューを要求する場合、これに対応する構成情報要求コマンドとして０ｘ６１及び０ｘ０６を伝送し、ＤＶＤ再生器２００ではこれを受信して約束されたとおり、ＤＶＤに記録された特定タイトルのチャプターメニューを読み出してこれをイメージデータのメニュー画面に構成して伝送する。
【００２７】
参考までに、ＤＶＤ再生器２００は、画像表示が不可能なデジタルオーディオ機器との連結接続の時、ＤＶＤ及び装置から提供できる各種メニューを選択するための画面を、イメージデータではないテキストデータで伝送することによって、デジタルオーディオ機器に備わっている小型液晶表示器（ＬＣＤ）によって文字メニューとして表示できるようにすることが可能である。このようなメニュー画面を受信するデジタルオーディオ機器ではユーザーが特定メニュー項目を選択するためにキー移動した状態または入力された数字キーをＤＶＤ再生器に提供することによって、ＤＶＤ再生器が要求された命令を認識できるようにして、それに対応する動作が実施されるようにすることもできる。
【００２８】
図８は、前述した図３及び図６の過程を一つの順序図で示したものである。
すなわち、デジタルテレビ１００の制御部７は装置に予め記憶されている外部機器、すなわちＤＶＤ再生器２００の基本動作及び機能に対するメニュー画面を提供し、そのメニュー画面上で選択されるメニュー項目を確認して（Ｓ５７、Ｓ６１）、「再生命令」であれば図３の過程と同一の過程（Ｓ５８〜Ｓ６０）を実施し、細部メニューを要求する「メニュー命令」であれば図６の過程と同一の過程（Ｓ６２〜Ｓ６７）を実施する。
【００２９】
【発明の効果】
上述のような本発明による外部連結機器のメニュー遠隔制御方法は、デジタルテレビのような一つの特定デジタル機器で、ＤＶＤ再生器のような外部機器に対する機能及び動作を容易に確認識別できるようになることはもちろん、ユーザーが所望する他機器の任意の特定機能及び動作を、一つの機器を通して遠隔で要求して遂行できるようになるので非常に有用である。
【図面の簡単な説明】
【図１】本発明による外部連結機器のメニュー遠隔制御方法が適用されるデジタルテレビに対する一部構成を示した図。
【図２】本発明による外部連結機器のメニュー遠隔制御方法が適用されるデジタルテレビで提供されるメニュー画面及び画像画面の例を示した図。
【図３】本発明による外部連結機器のメニュー遠隔制御方法に対する動作のフローチャートを示した図。
【図４】本発明による、再生を要求するコマンドのフォーマットの例を示した図。
【図５】本発明による外部連結機器のメニュー遠隔制御方法が適用されるデジタルテレビで提供されるメニュー画面及び画像画面の例を示した図。
【図６】本発明による外部連結機器のメニュー遠隔制御方法に対する他の実施形態に対する動作フローチャートを示した図。
【図７】本発明による、詳細メニューを要求するコマンドのフォーマットの例を示した図。
【図８】図３及び図６の実施形態による動作を一緒に示した動作フローチャートを示した図。
【符号の説明】
１：インタフェース部
２：信号処理部
３：画像信号処理部
４：表示
５：オーディオ信号処理部
６：スピーカ
７：制御部
８：メモリ部
【図１】
2004007639.tif 000003
【図２】
2004007639.tif 000004
【図３】
2004007639.tif 000005
【図４】
2004007639.tif 000006
【図５】
2004007639.tif 000007
【図６】
2004007639.tif 000008
【図７】
2004007639.tif 000009
【図８】
2004007639.tif 000010